(57)【要約】  【課題】  簡易な構成である突起部が電線に当接することで、電線の延伸方向を変化させることができ、電線が周辺部品に干渉することを回避できる。  【解決手段】本発明の電線配設構造は、筐体内の電線が電線口から筐体外へ延伸するように、前記電線を配設する電線配設構造であって、前記電線に当接して前記電線の延伸方向を変化させ、前記電線を前記電線口へ導く突起部を備える。【選択図】  図１
2013216126.tif 000002
【特許請求の範囲】
【請求項１】
筐体内の電線が電線口から筐体外へ延伸するように、前記電線を配設する電線配設構造であって、
前記電線に当接して前記電線の延伸方向を変化させ、前記電線を前記電線口へ導く突起部を備えることを特徴とする電線配設構造。
【請求項２】
前記筐体の筐体開口部を覆うように、前記筐体開口部に係合される筐体カバーを備え、
前記突起部は、前記筐体カバーと一体に形成され、前記筐体カバーが前記筐体開口部に係合されると同時に、前記電線に当接して前記電線の延伸方向を変化させ、前記電線を前記電線口へ導くことを特徴とする請求項２に記載の電線配設構造。
【請求項３】
前記電線口は、前記筐体カバーから偏心する位置に設けられることを特徴とする請求項２に記載の電線配設構造。
【請求項４】
前記電線口に隣接する台部を備え、
前記突起部が、前記台部の角部に設けられることを特徴とする請求項３に記載の電線配設構造。
【発明の詳細な説明】
【技術分野】
【０００１】
本発明は、電線ケーブルを配設する電線配設構造に関し、特に、ＬＥＤを用いたランプユニットなどの電線ケーブルを配設する電線配設構造に関する。
【背景技術】
【０００２】
ランプユニットなどの電線ケーブルを配設する従来の電線配設構造は、図８に示すように、ランプユニット内のバスバーに電線が接続され、該電線が、ランプユニット（又は、保護カバー）の中心に設けられた隙間（保護カバーとケースの隙間）から延伸していた（例えば、特許文献１）。
【先行技術文献】
【特許文献】
【０００３】
【特許文献１】特開２０１０−２０８４３２号公報
【発明の概要】
【発明が解決しようとする課題】
【０００４】
従来の電線配設構造では、ランプユニットから延伸する電線の延伸方向を変化させることはできず、電線が周辺部品と干渉しないように、周辺部品の位置を考慮して、ランプユニットを配置する必要があった。例えば、図１０に示すように、ランプユニットＡの電線Ｗの延伸方向Iを延伸方向IIやIIIへ変化させることはできなかった。したがって、図１１に示すように、電線Wとボデー鋼板などが干渉すると電線Wが損傷するおそれがあるため、ランプユニットの配置を変えて、周辺部品との干渉を回避する必要があった。この結果、ランプユニットの配置が制限されていた。
【０００５】
本発明の目的は、簡易な構成により電線の延伸方向を変化させることができ、電線が周辺部品に干渉することを回避できる電線配設構造を提供することである。
【課題を解決するための手段】
【０００６】
本発明の電線配設構造は、筐体内の電線が電線口から筐体外へ延伸するように、前記電線を配設する電線配設構造であって、前記電線に当接して前記電線の延伸方向を変化させ、前記電線を前記電線口へ導く突起部を備える。
【０００７】
この構成によれば、簡易な構成である突起部が電線に当接することで、電線の延伸方向を変化させることができ、電線が周辺部品に干渉することを回避できる。
【０００８】
本発明の電線配設構造は、前記筐体の筐体開口部を覆うように、前記筐体開口部に係合される筐体カバーを備え、前記突起部は、前記筐体カバーと一体に形成され、前記筐体カバーが前記筐体開口部に係合されると同時に、前記電線に当接して前記電線の延伸方向を変化させ、前記電線を前記電線口へ導く。
【０００９】
この構成によれば、筐体カバーと突起部とが一体に形成されているので、筐体カバーが筐体に係合されると同時に、電線の延伸方向を変化させることができ、電線の配設作業を簡略化することができる。
【００１０】
本発明の電線配設構造では、前記電線口は、前記筐体カバーから偏心する位置に設けられることを特徴とする請求項３に記載の電線配設構造。
【００１１】
この構成によれば、電線口が筐体カバーから編心しているので、電線の延伸口を変化させることができるとともに、電線の延伸方向を変化させることができる。
【００１２】
本発明の電線配設構造は、前記電線口に隣接する台部を備え、前記突起部が、前記台部の角部に設けられる。
【００１３】
この構成によれば、電線の口径（厚さ）や屈曲硬さなどに応じて、台部の高さを調整することで、突起部が電線に適切に当接し、電線の延伸方向を適切に変化させることができ、電線が周辺部品に干渉することを回避できる。
【発明の効果】
【００１４】
本発明は、簡易な構成により電線の延伸方向を変化させることができ、電線が周辺部品に干渉することを回避できる電線配設構造を提供する。
【図面の簡単な説明】
【００１５】
【図１】本実施の形態の電線配設構造を含むランプユニットを示した斜視図である。
【図２】本実施の形態の電線配設構造を含むランプユニットを示した正面図である。
【図３】図２の線Ｘ−Ｘの断面を矢印Ａの方向から見たランプユニットの断面図である。
【図４】ランプユニット１００の分解図である。
【図５】（ａ）図４のカバー（筐体カバー）を拡大した図である。（ｂ）カバー（筐体カバー）の上面図である。（ｃ）カバー（筐体カバー）の側面図である。
【図６】突起部が電線に当接している状態を示した図である。
【図７】複数の突起部が設けられたカバー（筐体カバー）を示した図である。
【図８】複数の電線口が設けられたカバー（筐体カバー）を示した図である。
【図９】台部の隣り合う角部に、複数の突起部及び電線口が設けられたカバー（筐体カバー）を示した図である。
【図１０】従来の電線配設構造を示した図である。
【図１１】従来の電線配設構造により、電線が周辺部材と干渉することを説明した図である。
【発明を実施するための形態】
【００１６】
以下、本発明の実施の形態のコネクタ装置について、図面を用いて説明する。図１は、本実施の形態の電線配設構造を含むランプユニットを示した斜視図である。図２は、本実施の形態の電線配設構造を含むランプユニットを示した正面図である。図１に示すように、ランプユニット１００は、ハウジング（筐体）１、カバー（筐体カバー）５、及び電線６を備える。図２に示すように、ランプユニット１００は、電線口１５を備え、ハウジング（筐体）１内の電線６が電線口１５からハウジング（筐体）１外へ延伸するように、電線６を配設する。電線６は、ランプユニット１００正面の中心線（センターライン）L１に対して偏心する位置からハウジング（筐体）１外へ延伸する。
【００１７】
図３は、図２の線Ｘ−Ｘの断面を矢印Ａの方向から見たランプユニットの断面図である。図３に示すように、ランプユニット１００は、ハウジング１内に、光源２、基板３、ホルダ４、及びカバー（筐体カバー）５を備える。ハウジング１は、透明部１１を備える。透明部１１は、導光性の材料（例えば、透明樹脂）で形成されている。透明部１１は、平面でもよいし、レンズ型でもよい。光源からの光が、透明部１１を介して、ランプユニット１００外に照射される。光源２は、基板３に設けられる。光源２は、ＬＥＤであってもよいし、蛍光ランプ（例えば、キセノンランプ）であってもよい。
【００１８】
基板３は、光源２や回路素子や配線などを実装し、ハウジング１の内部に挿入される。電線６は、基板３の配線などに半田などで接続され、ホルダ４を貫通する。ホルダ４は、電線６が貫通するためのホルダ孔を備え、電線６を収納した状態で、ハウジング１の内部に挿入される。ホルダ４は、電線６を密封して収容するためのゴム栓を備えてもよい。この場合、ゴム栓は、ホルダ４に挿入され、ホルダ孔を密封する。また、ホルダ４の周辺を覆い、ホルダ４とともにハウジング１の内部に挿入され、ホルダ４とハウジング１の間を密封するパッキンが、ホルダ４に備えられてもよい。パッキンは、弾性材料（ゴムやポリウレタンなど）により形成される。
【００１９】
カバー（筐体カバー）５は、係合部を備え、ハウジング（筐体）１低部の筐体開口部２１を覆うように、係合部により筐体開口部２１に係合される。カバー５は、電線口１５を備え、電線６が電線口１５からハウジング（筐体）１外へ延伸するように、電線６を配設する。電線６は、ランプユニット１００側面の中心線（センターライン）L２に対して偏心する位置からハウジング（筐体）１外へ延伸する。
【００２０】
図４は、ランプユニット１００の分解図である。ハウジング１は、基板３、ホルダ４、カバー（筐体カバー）５、電線６を収容し、ホルダ４（ゴム栓及びパッキンを含む）により密封されている。ハウジング１は、収容された部品がハウジング１から出ないように、カバー５により覆われている。つまり、カバー５がハウジング１に係合することで、基板３及びホルダ４がハウジング１内で固定される。電線６は、ハウジング１とカバー５との隙間（電線口１５）からハウジング１の外部へ延伸する。基板３には、光源２が設けられている。
【００２１】
図５は、カバー（筐体カバー）５を示した図である。図５（ａ）は、図４のカバー（筐体カバー）５を拡大した図である。図５（ｂ）は、カバー（筐体カバー）５の上面図である。図５（ｃ）は、カバー（筐体カバー）５の側面図である。図５に示すように、カバー（筐体カバー）５は、突起部２５及び台部３５を備え、一体に形成されている。突起部２５は、台部３５の上面の角部に設けられる。突起部２５は、三角錐台の形状を有し、三角錐台の面の接合部には面取りが施されている。図５に示すように、台部３５の中心側に位置する突起部側面２６は、台部３５上面に対して傾斜している。突起部２５と台部３５は、階段状に一体に形成されている。台部３５は、直方体の形状を有し、直方体の面の接合部には面取りが施されている。図５（ｃ）に示すように、電線口１５に隣接する。また、台部３５の側面部３６の位置が、電線口１５の開口側面部１６の位置と重なる。図５に示すように、電線口１５は、突起部２５が設けられる角部と異なる台部３５の角部に設けられる。また、電線口１５は、カバー（筐体カバー）５の中心線（センターライン）Ｌ３に対して偏心する位置に設けられている。本実施の形態では、電線口１５は、切り欠き形状であるが、孔形状であってもよい。
【００２２】
図６は、突起部２５が電線６に当接している状態を示した図である。突起部２５（又は、突起部側面２６）は、カバー（筐体カバー）５がハウジング（筐体）１に係合した状態で、電線６１に当接して電線６１の延伸方向を変化させ、電線６１を電線口１５へ導く。また、電線６１の延伸方向が変化することにより、隣接する他の電線６２〜６４も電線口１５へ導かれる。突起部側面２６は、台部３５の中心側に面し、当接された電線６１が電線口１５に導かれるように、突起部側面２６の面方向Ｄに電線口１５が位置する。
【００２３】
このように、簡易な構成である突起部２５が電線６に当接することで、電線６の延伸方向を変化させることができ、電線６が周辺部品に干渉することを回避できる。つまり、カバー（筐体カバー）５の形状によって、電線６の経路方向を規制することで、電線６が周辺部品に干渉することを回避できる。また、カバー（筐体カバー）５と突起部２５とが一体に形成されているので、カバー５がハウジング（筐体）１に係合されると同時に、電線６の延伸方向を変化させることができ、電線６の配設作業を簡略化することができる。
【００２４】
また、電線口１５がカバー（筐体カバー）５から編心しているので、電線６の延伸口を変化させて、所望の位置から電線６を延伸させることができるとともに、電線の延伸方向を変化させて、所望の角度で電線６を延伸させることができる。例えば、突起部側面２６の面方向Ｄの角度を変化させて、電線口１５が面方向Ｄに位置することで、電線６の延伸位置及び延伸角度を調整することができる。また、電線６の口径（厚さ）や屈曲硬さなどに応じて、台部３５の高さを調整することで、突起部２５が電線６に適切に当接し、電線６の延伸方向を適切に変化させることができ、電線が周辺部品に干渉することを回避できる。
【００２５】
以上、本発明にかかる実施の形態について説明したが、本発明はこれらに限定されるものではなく、請求項に記載された範囲内において変更・変形することが可能である。
【００２６】
電線口１５、突起部２５、及び台部３５の位置や形状のバリエーションを複数用意して、ランプユニット１００と周辺部品の位置関係による電線６の延伸位置及び延伸方向に基づいて、複数のバリエーションからカバー（筐体カバー）５が選択されてもよい。
【００２７】
例えば、図７乃至図９のようなバリエーションがあってもよい。図７に示すカバー（筐体カバー）５は、台部３５の対角に複数の突起部２５，５５が設けられてもよい。この場合、図８に示すように、突起部２５，５５が設けられる対角とは異なる対角に、複数の電線口１５，４５が設けられてもよい。また、図９に示すカバー（筐体カバー）５は、台部３５の隣り合う角部に、複数の突起部２５，６５が設けられてもよい。この場合、突起部２５，６５が設けられる角部とは異なる角部に、複数の電線口１５，７５が設けられる。このように、複数の突起部２５，５５，６５や電線口１５，４５，７５を設けることで、電線６の延伸方向を変化させる自由度が高まり、電線が周辺部品に干渉することを回避できる。特に、図６及び図７に示すカバー（筐体カバー）５は、突起部２５，５５が同時に電線６に当接して、同じ方向に電線６を導くので、電線６の延伸方向を確実に変化させることができる。
【００２８】
また、カバー（筐体カバー）５は、反転させてもハウジング（筐体）１に適切に係合するように形成されてもよい。このように、カバー（筐体カバー）５を反転させて、逆方向に電線６を延伸させることで、電線６の延伸方向を変化させる自由度が高まり、電線が周辺部品に干渉することを回避できる。
【００２９】
また、突起部２５の形状は、電線６を電線口１５に導くものであれば、円柱や直方体や波形状であってもよく、突起部側面２６の形状も、電線６を電線口１５に導く形状であれば、曲面や溝部を含んでもよい。
【産業上の利用可能性】
【００３０】
本発明にかかる電線配設構造は、簡易な構成である突起部が電線に当接することで、電線の延伸方向を変化させることができ、電線が周辺部品に干渉することを回避できるという効果を有し、ＬＥＤを用いたランプユニットなどの電線ケーブルを配設する電線配設構造として有用である。
【符号の説明】
【００３１】
１  ハウジング
２  光源
３  基板
４  ホルダ
５  カバー
６  電線
１５  電線口
２５  突起部
３５  台部
１００  ランプユニット
【図１】
2013216126.tif 000003
【図２】
2013216126.tif 000004
【図３】
2013216126.tif 000005
【図４】
2013216126.tif 000006
【図５】
2013216126.tif 000007
【図６】
2013216126.tif 000008
【図７】
2013216126.tif 000009
【図８】
2013216126.tif 000010
【図９】
2013216126.tif 000011
【図１０】
2013216126.tif 000012
【図１１】
2013216126.tif 000013